【手続補正書】
【提出日】平成29年5月8日(2017.5.8)
【手続補正１】
【補正対象書類名】特許請求の範囲
【補正対象項目名】全文
【補正方法】変更
【補正の内容】
【特許請求の範囲】
【請求項１】
電磁場を使用することによって療法を対象に提供するためのシステムであって、前記システムは、
電気導線を有する場発生器であって、前記電気導線を横断して誘発される電流に応答して、電磁場を発生させるように構成される、場発生器と、
前記対象の１つまたは複数の身体部分に関連する電気生理学的情報を伝達する出力信号を発生させるように構成される、１つまたは複数のセンサと、
前記電気導線を横断して交流電流を誘発するように構成される電流源であって、前記交流電流は、前記交流電流の１つまたは複数の周波数が、前記発生させられた出力信号の１つまたは複数の周波数に対応するように、前記発生させられた出力信号に対応するように動的に制御される、電流源と
を備える、システム。
【請求項２】
前記場発生器は、
前記対象および／または前記対象の身体部分の一方または両方にあるいはその近傍に配列される、支持構造と、
前記支持構造の周囲に巻回されたワイヤであって、前記ワイヤは、伝導性であり、前記ワイヤは、療法を前記対象に提供するために、前記電磁場が、前記支持構造でまたはその近傍で発生させられるように、前記場発生器の前記電気導線と電気的に結合されるように構成される、ワイヤと
を含む、請求項１に記載のシステム。
【請求項３】
前記支持構造は、ランナあたり少なくとも２周配列される、２つの相互に絡合された螺旋状に巻回されたランナを含み、前記支持構造は、重心を有するトロイダル形状に配列される、請求項２に記載のシステム。
【請求項４】
前記ワイヤは、前記２つの相互に絡合された螺旋状に巻回されたランナのうちの第１のランナの周囲に渦巻状に巻回され、前記ワイヤは、前記第１のランナと一致する軸を有する螺旋形状に配列される、請求項３に記載のシステム。
【請求項５】
前記場発生器は、前記第１のランナの周囲に巻回された第２のワイヤを含み、前記第２のワイヤは、伝導性であり、前記第２のワイヤは、療法を前記対象に提供するために、前記電磁場が、前記支持構造でまたはその近傍で発生させられるように、前記場発生器の前記電気導線と電気的に結合されるように構成される、請求項４に記載のシステム。
【請求項６】
前記ワイヤは、１セットの捻転されたワイヤを含む、請求項２に記載のシステム。
【請求項７】
前記ワイヤのインチあたりの捻転数は、約２〜約１００である、請求項６に記載のシステム。
【請求項８】
前記２つの相互に絡合された螺旋状に巻回されたランナはそれぞれ、約１／４インチ〜約６インチのピッチを有する、請求項３に記載のシステム。
【請求項９】
前記２つの相互に絡合された螺旋状に巻回されたランナのうちの少なくとも１つは、磁気材料を含む、請求項３に記載のシステム。
【請求項１０】
前記１つまたは複数の身体部分は、心臓および／または脳を含む、請求項１に記載のシステム。
【請求項１１】
前記１つまたは複数の身体部分は、肝臓および／または腎臓を含む、請求項１に記載のシステム。
【請求項１２】
前記１つまたは複数の身体部分は、膵臓を含む、請求項１に記載のシステム。
【請求項１３】
前記電流源は、前記交流電流を誘発するように構成され、前記交流電流は、前記発生させられた出力信号のフィードバックを通して動的に制御される、請求項１に記載のシステム。
【請求項１４】
信号を増幅するように構成される増幅器であって、前記増幅器は、入力および出力を有し、前記増幅器は、前記発生させられた出力信号が、前記増幅器の前記入力に電気的に結合されるように配列され、さらに、前記増幅器は、前記増幅器の前記出力からの増幅された信号が、前記電気導線に電気的に結合されるように配列される、増幅器
をさらに備える、請求項１に記載のシステム。
【請求項１５】
コンピュータプログラムモジュールを実行するように構成される、１つまたは複数のプロセッサをさらに備え、前記コンピュータプログラムモジュールは、
前記出力信号に基づいて、情報を得るように構成される、入力モジュールと、
前記得られた情報を処理し、前記得られた情報に基づいて、処理された信号を発生させるように構成される、処理モジュールと、
前記処理された信号に基づいて、音信号を産生するように構成される、再生モジュールと
を備え、
前記誘発された交流電流は、前記産生された音信号に基づく、請求項１に記載のシステム。
【請求項１６】
前記発生させられた出力信号は、脳電図（ＥＥＧ）信号、心電図（ＥＫＧ）信号、脳磁図（ＭＥＧ）信号、および／または音響心電図信号のうちの１つまたは複数のものに対応する、請求項１に記載のシステム。
【請求項１７】
前記発生させられた電磁場は、神経障害疾患のための療法を提供するために使用される、請求項１に記載のシステム。
【請求項１８】
前記発生させられた電磁場は、再生医療の分野で使用される、請求項１に記載のシステム。
【請求項１９】
前記発生させられた電磁場は、リハビリテーションの分野で使用される、請求項１に記載のシステム。
【請求項２０】
前記発生させられた電磁場は、疼痛管理の分野で使用される、請求項１に記載のシステム。
【請求項２１】
電磁場を使用することによって療法を対象に提供するためのシステムであって、前記システムは、
電気導線を有する場発生器であって、前記電気導線を横断して誘発される電流に応答して、電磁場を発生させるように構成される、場発生器と、
前記対象の１つまたは複数の身体部分に関連する情報を伝達する音響信号を、主に２０Ｈｚ〜２０ｋＨｚの範囲の周波数を含む電気信号に変換するように構成される、変換器と
を備え、交流電流が、前記電気導線を横断して誘発され、前記誘発された交流電流は、前記電気信号に基づいており、前記交流電流の１つまたは複数の周波数は、前記電気信号の１つまたは複数の周波数に対応する、システム。
【請求項２２】
前記場発生器は、
前記対象および／または前記対象の身体部分の一方または両方にあるいはその近傍に配列される、支持構造と、
前記支持構造の周囲に巻回されたワイヤであって、前記ワイヤは、伝導性であり、前記ワイヤは、療法を前記対象に提供するために、前記電磁場が、前記支持構造でまたはその近傍で発生させられるように、前記場発生器の前記電気導線と電気的に結合されるように構成される、ワイヤと、
を含む、請求項２１に記載のシステム。
【請求項２３】
前記支持構造は、ランナあたり少なくとも２周配列される、２つの相互に絡合された螺旋状に巻回されたランナを含み、前記支持構造は、重心を有するトロイダル形状に配列される、請求項２２に記載のシステム。
【請求項２４】
前記ワイヤは、前記２つの相互に絡合された螺旋状に巻回されたランナのうちの第１のランナの周囲に渦巻状に巻回され、前記ワイヤは、前記第１のランナと一致する軸を有する螺旋形状に配列される、請求項２３に記載のシステム。
【請求項２５】
前記１つまたは複数の身体部分は、心臓および／または脳を含む、請求項２１に記載のシステム。
【請求項２６】
前記１つまたは複数の身体部分は、肝臓および／または腎臓を含む、請求項２１に記載のシステム。
【請求項２７】
前記１つまたは複数の身体部分は、膵臓を含む、請求項２１に記載のシステム。
【請求項２８】
前記電気信号を増幅し、増幅された電気信号が前記交流電流を誘発するように、前記増幅された電気信号を産生するように構成される、増幅器
をさらに備える、請求項２１に記載のシステム。
【請求項２９】
コンピュータプログラムモジュールを実行するように構成される、１つまたは複数のプロセッサをさらに備え、前記コンピュータプログラムモジュールは、
前記電気信号に基づいて、情報を得るように構成される、入力モジュールと、
前記得られた情報を処理し、前記得られた情報に基づいて、処理された信号を発生させるように構成される、処理モジュールと、
前記処理された信号に基づいて、音信号を産生するように構成される、再生モジュールと
を備え、前記誘発された交流電流は、前記産生された音信号に基づく、請求項２１に記載のシステム。
【請求項３０】
前記変換器は、聴診器を含む、請求項２１に記載のシステム。
【請求項３１】
前記発生させられた出力信号は、脳電図（ＥＥＧ）信号、心電図（ＥＫＧ）信号、脳磁図（ＭＥＧ）信号、および／または音響心電図信号のうちの１つまたは複数のものに対応する、請求項２１に記載のシステム。
【請求項３２】
前記発生させられた電磁場は、神経障害疾患のための療法を提供するために使用される、請求項２１に記載のシステム。
【請求項３３】
前記発生させられた電磁場は、再生医療の分野で使用される、請求項２１に記載のシステム。
【請求項３４】
前記発生させられた電磁場は、リハビリテーションの分野で使用される、請求項２１に記載のシステム。
【請求項３５】
前記発生させられた電磁場は、疼痛管理の分野で使用される、請求項２１に記載のシステム。
【請求項３６】
前記場発生器は、ランナあたり少なくとも２周配列される２つの相互に絡合された螺旋状に巻回されたランナを含み、前記２つの相互に絡合された螺旋状に巻回されたランナは、第１のランナおよび第２のランナを含み、前記場発生器はさらに、前記第１のランナと一致する軸を有する螺旋形状において、前記第１のランナの周囲に渦巻状に巻回された第１のセットの捻転された伝導性ワイヤを含み、前記場発生器はさらに、前記第２のランナと一致する軸を有する螺旋形状において、前記第２のランナの周囲に渦巻状に巻回された第２のセットの捻転された伝導性ワイヤを含む、請求項２１に記載のシステム。
【請求項３７】
電磁場を使用することによって療法を対象に提供するためのシステムであって、前記システムは、
支持構造を前記対象および／または前記対象の身体部分の一方または両方にあるいはその近傍に配列するための手段であって、前記支持構造は、伝導性ワイヤを含む、手段と、
前記対象の１つまたは複数の身体部分に関連する電気生理学的情報を伝達する出力信号を発生させるための手段と、
前記伝導性ワイヤを通して交流電流を誘発するための手段であって、前記交流電流は、前記交流電流の１つまたは複数の周波数が、前記発生させられた出力信号の１つまたは複数の周波数に対応するように、前記発生させられた出力信号に対応するように動的に制御され、それによって、電磁場を前記対象および／または前記対象の身体部分の一方または両方にあるいはその近傍に発生させ、前記電磁場は、療法を前記対象に提供する、手段と
を含む、システム。
【請求項３８】
前記支持構造は、ランナあたり少なくとも２周配列される２つの相互に絡合された螺旋状に巻回されたランナを含む、請求項３７に記載のシステム。
【請求項３９】
前記伝導性ワイヤは、前記２つの相互に絡合された螺旋状に巻回されたランナのうちの第１のランナと一致する軸を有する螺旋形状に配列される、請求項３８に記載のシステム。
【請求項４０】
前記出力信号に基づいて、情報を得るための手段と、
前記得られた情報を処理するための手段と、
前記得られた情報に基づいて、処理された信号を発生させるための手段と、
前記処理された信号に基づいて、音信号を産生するための手段と
をさらに含み、前記交流電流は、前記産生された音信号に対応するように動的に制御される、請求項３７に記載のシステム。
【請求項４１】
電磁場を使用することによって療法を対象に提供するためのシステムであって、前記システムは、
前記対象および／または前記対象の身体部分の一方または両方にあるいはその近傍に支持構造を配列するための手段であって、前記支持構造は、伝導性捻転ワイヤを含む、手段と、
前記対象の１つまたは複数の身体部分に関連する情報を伝達する音響信号を、主に２０Ｈｚ〜２０ｋＨｚの範囲の周波数を含む電気信号に変換するための手段と、
前記伝導性捻転ワイヤを通して交流電流を誘発するための手段であって、前記交流電流の１つまたは複数の周波数は、前記電気信号の１つまたは複数の周波数に対応し、それによって、電磁場を前記対象および／または前記対象の身体部分の一方または両方にあるいはその近傍に発生させ、前記電磁場は、療法を前記対象に提供する、手段と
を含む、システム。
【手続補正２】
【補正対象書類名】明細書
【補正対象項目名】００５０
【補正方法】変更
【補正の内容】
【００５０】
なおもさらなる実施形態では、電磁場を使用して療法を対象に提供するための方法であって、対象および／または対象の身体部分の一方または両方にあるいはその近傍に支持構造を配列するステップであって、支持構造は、伝導性捻転ワイヤを含む、ステップと、１つまたはそれを上回る対象の身体部分に関連する情報を伝達する音響信号を、主に、２０Ｈｚ〜２０ｋＨｚの範囲の周波数を含む、電気信号に変換するステップと、伝導性捻転ワイヤを通して交流電流を誘発するステップであって、交流電流の１つまたはそれを上回る周波数は、電気信号の１つまたはそれを上回る周波数に対応し、それによって、電磁場を対象および／または対象の身体部分の一方または両方にあるいはその近傍に発生させ、電磁場は、療法を対象に提供する、ステップとを含む、方法が、提供される。
本発明は、例えば、以下を提供する。
（項目１）
電磁場を使用して療法を対象に提供するためのシステムであって、
電気導線を有する電磁場発生器であって、前記電気導線を横断して誘発される電流に応答して、電磁場を発生させるように構成される、電磁場発生器と、
前記対象の１つまたはそれを上回る身体部分に関連する電気生理学的情報を伝達する出力信号を発生させるように構成される、１つまたはそれを上回るセンサと、
前記電気導線を横断して交流電流を誘発するように構成される電流源であって、前記交流電流は、前記交流電流の１つまたはそれを上回る周波数が、前記発生された出力信号の１つまたはそれを上回る周波数に対応するように、前記発生された出力信号に対応するように動的に制御される、電流源と、
を備える、システム。
（項目２）
前記電磁場発生器は、
前記対象および／または前記対象の身体部分の一方または両方にあるいはその近傍に配列される、支持構造と、
前記支持構造の周囲に巻回されたワイヤであって、前記ワイヤは、伝導性であり、前記ワイヤは、前記電磁場が、前記支持構造でまたはその近傍で発生され、療法を前記対象に提供するように、前記電磁場発生器の電気導線と電気的に結合されるように構成される、ワイヤと、
を含む、項目１に記載のシステム。
（項目３）
前記支持構造は、ランナあたり少なくとも２周配列される、２つの相互に絡合された螺旋状に巻回されたランナを含み、前記支持構造は、重心を有するトロイダル形状に配列される、項目２に記載のシステム。
（項目４）
前記ワイヤは、前記ワイヤが、前記第１のランナと一致する軸を有する螺旋形状に配列されるように、前記２つの相互に絡合された螺旋状に巻回されたランナの第１のランナの周囲に渦巻状に巻回される、項目３に記載のシステム。
（項目５）
前記電磁場発生器は、前記第１のランナの周囲に巻回された第２のワイヤを含み、前記第２のワイヤは、伝導性であり、前記第２のワイヤは、前記電磁場が、前記支持構造でまたはその近傍で発生され、療法を前記対象に提供するように、前記電磁場発生器の電気導線と電気的に結合されるように構成される、項目４に記載のシステム。
（項目６）
前記ワイヤは、１セットの捻転されたワイヤを含む、項目２に記載のシステム。
（項目７）
前記ワイヤのインチあたりの捻転数は、約２〜約１００である、項目６に記載のシステム。
（項目８）
前記２つの相互に絡合された螺旋状に巻回されたランナはそれぞれ、約１／４インチ〜約６インチのピッチを有する、項目３に記載のシステム。
（項目９）
前記２つの相互に絡合された螺旋状に巻回されたランナのうちの少なくとも１つは、磁気材料を含む、項目３に記載のシステム。
（項目１０）
前記１つまたはそれを上回る身体部分は、心臓および／または脳を含む、項目１に記載のシステム。
（項目１１）
前記１つまたはそれを上回る身体部分は、肝臓および／または腎臓を含む、項目１に記載のシステム。
（項目１２）
前記１つまたはそれを上回る身体部分は、膵臓を含む、項目１に記載のシステム。
（項目１３）
前記電流源は、前記交流電流を誘発するように構成され、前記交流電流は、前記発生された出力信号のフィードバックを通して動的に制御される、項目１に記載のシステム。
（項目１４）
信号を増幅させるように構成される増幅器であって、前記増幅器は、入力および出力を有し、前記増幅器は、前記発生された出力信号が、前記増幅器の入力に電気的に結合されるように配列され、さらに、前記増幅器は、前記増幅器の出力からの増幅された信号が、前記電気導線に電気的に結合されるように配列される、増幅器
をさらに備える、項目１に記載のシステム。
（項目１５）
コンピュータプログラムモジュールを実行するように構成される、１つまたはそれを上回るプロセッサをさらに備え、前記コンピュータプログラムモジュールは、
前記出力信号に基づいて、情報を得るように構成される、入力モジュールと、
前記得られた情報を処理し、前記得られた情報に基づいて、処理された信号を発生させるように構成される、処理モジュールと、
前記処理された信号に基づいて、音信号を産生するように構成される、再生モジュールと、
を備え、
前記誘発された交流電流は、前記産生された音信号に基づく、項目１に記載のシステム。
（項目１６）
前記発生された出力信号は、脳電図（ＥＥＧ）信号、心電図（ＥＫＧ）信号、脳磁図（ＭＥＧ）信号、および／または音響心電図信号のうちの１つまたはそれを上回るものに対応する、項目１に記載のシステム。
（項目１７）
前記発生された電磁場は、神経障害疾患のための療法を提供するために使用される、項目１に記載のシステム。
（項目１８）
前記発生された電磁場は、再生医療の分野で使用される、項目１に記載のシステム。
（項目１９）
前記発生された電磁場は、リハビリテーションの分野で使用される、項目１に記載のシステム。
（項目２０）
前記発生された電磁場は、疼痛管理の分野で使用される、項目１に記載のシステム。
（項目２１）
電磁場を使用して療法を対象に提供するためのシステムであって、
電気導線を有する電磁場発生器であって、前記電気導線を横断して誘発される電流に応答して、電磁場を発生させるように構成される、電磁場発生器と、
１つまたはそれを上回る前記対象の身体部分に関連する情報を伝達する音響信号を、主に、２０Ｈｚ〜２０ｋＨｚの範囲の周波数を含む、電気信号に変換するように構成される、変換器と、
を備え、交流電流が、前記電気導線を横断して誘発され、前記誘発された交流電流は、前記電気信号に基づき、前記交流電流の１つまたはそれを上回る周波数は、前記電気信号の１つまたはそれを上回る周波数に対応する、システム。
（項目２２）
前記電磁場発生器は、
前記対象および／または前記対象の身体部分の一方または両方にあるいはその近傍に配列される、支持構造と、
前記支持構造の周囲に巻回されたワイヤであって、前記ワイヤは、伝導性であり、前記ワイヤは、前記電磁場が、前記支持構造でまたはその近傍で発生され、療法を前記対象に提供するように、前記電磁場発生器の電気導線と電気的に結合されるように構成される、ワイヤと、
を含む、項目２１に記載のシステム。
（項目２３）
前記支持構造は、ランナあたり少なくとも２周配列される、２つの相互に絡合された螺旋状に巻回されたランナを含み、前記支持構造は、重心を有するトロイダル形状に配列される、項目２２に記載のシステム。
（項目２４）
前記ワイヤは、前記ワイヤが、前記第１のランナと一致する軸を有する螺旋形状に配列されるように、前記２つの相互に絡合された螺旋状に巻回されたランナの第１のランナの周囲に渦巻状に巻回される、項目２３に記載のシステム。
（項目２５）
前記１つまたはそれを上回る身体部分は、心臓および／または脳を含む、項目２１に記載のシステム。
（項目２６）
前記１つまたはそれを上回る身体部分は、肝臓および／または腎臓を含む、項目２１に記載のシステム。
（項目２７）
前記１つまたはそれを上回る身体部分は、膵臓を含む、項目２１に記載のシステム。
（項目２８）
前記電気信号を増幅し、前記増幅された電気信号が、前記交流電流を誘発するように、増幅された電気信号を産生するように構成される、増幅器
をさらに備える、項目２１に記載のシステム。
（項目２９）
コンピュータプログラムモジュールを実行するように構成される、１つまたはそれを上回るプロセッサをさらに備え、前記コンピュータプログラムモジュールは、
前記電気信号に基づいて、情報を得るように構成される、入力モジュールと、
前記得られた情報を処理し、前記得られた情報に基づいて、処理された信号を発生させるように構成される、処理モジュールと、
前記処理された信号に基づいて、音信号を産生するように構成される、再生モジュールと、
を備え、前記誘発された交流電流は、前記産生された音信号に基づく、項目２１に記載のシステム。
（項目３０）
前記変換器は、聴診器を含む、項目２１に記載のシステム。
（項目３１）
発生された出力信号は、脳電図（ＥＥＧ）信号、心電図（ＥＫＧ）信号、脳磁図（ＭＥＧ）信号、および／または音響心電図信号のうちの１つまたはそれを上回るものに対応する、項目２１に記載のシステム。
（項目３２）
前記発生された電磁場は、神経障害疾患のための療法を提供するために使用される、項目２１に記載のシステム。
（項目３３）
前記発生された電磁場は、再生医療の分野で使用される、項目２１に記載のシステム。
（項目３４）
前記発生された電磁場は、リハビリテーションの分野で使用される、項目２１に記載のシステム。
（項目３５）
前記発生された電磁場は、疼痛管理の分野で使用される、項目２１に記載のシステム。
（項目３６）
前記電磁場発生器は、ランナあたり少なくとも２周配列される２つの相互に絡合された螺旋状に巻回されたランナを含み、前記２つの相互に絡合された螺旋状に巻回されたランナは、第１のランナおよび第２のランナを含み、前記電磁場発生器はさらに、前記第１のランナと一致する軸を有する螺旋形状において、前記第１のランナの周囲に渦巻状に巻回された第１のセットの捻転された伝導性ワイヤを含み、前記電磁場発生器はさらに、前記第２のランナと一致する軸を有する螺旋形状において、前記第２のランナの周囲に渦巻状に巻回された第２のセットの捻転された伝導性ワイヤを含む、項目２１に記載のシステム。
（項目３７）
電磁場を使用して療法を対象に提供するための方法であって、
支持構造を前記対象および／または前記対象の身体部分の一方または両方にあるいはその近傍に配列するステップであって、前記支持構造は、伝導性ワイヤを含む、ステップと、
１つまたはそれを上回る前記対象の身体部分に関連する電気生理学的情報を伝達する出力信号を発生させるステップと、
前記伝導性ワイヤを通して交流電流を誘発するステップであって、前記交流電流は、前記交流電流の１つまたはそれを上回る周波数が、前記発生された出力信号の１つまたはそれを上回る周波数に対応し、それによって、電磁場を前記対象および／または前記対象の身体部分の一方または両方にあるいはその近傍に発生させるように、前記発生された出力信号に対応するように動的に制御され、前記電磁場は、療法を前記対象に提供する、ステップと、
を含む、方法。
（項目３８）
前記支持構造は、ランナあたり少なくとも２周配列される２つの相互に絡合された螺旋状に巻回されたランナを含む、項目３７に記載の方法。
（項目３９）
前記伝導性ワイヤは、前記２つの相互に絡合された螺旋状に巻回されたランナの第１のランナと一致する軸を有する螺旋形状に配列される、項目３８に記載の方法。
（項目４０）
前記出力信号に基づいて、情報を得るステップと、
前記得られた情報を処理するステップと、
前記得られた情報に基づいて、処理された信号を発生させるステップと、
前記処理された信号に基づいて、音信号を産生するステップと、
をさらに含み、前記交流電流は、前記産生された音信号に対応するように動的に制御される、項目３７に記載の方法。
（項目４１）
電磁場を使用して療法を対象に提供するための方法であって、
前記対象および／または前記対象の身体部分の一方または両方にあるいはその近傍に支持構造を配列するステップであって、前記支持構造は、伝導性捻転ワイヤを含む、ステップと、
１つまたはそれを上回る前記対象の身体部分に関連する情報を伝達する音響信号を、主に、２０Ｈｚ〜２０ｋＨｚの範囲の周波数を含む、電気信号に変換するステップと、
前記伝導性捻転ワイヤを通して交流電流を誘発するステップであって、前記交流電流の１つまたはそれを上回る周波数は、前記電気信号の１つまたはそれを上回る周波数に対応し、それによって、電磁場を前記対象および／または前記対象の身体部分の一方または両方にあるいはその近傍に発生させ、前記電磁場は、療法を前記対象に提供する、ステップと、
を含む、方法。